(57)【特許請求の範囲】
【請求項１】
ＩＰネットワークで構成される電話システムで通信中の電話端末からＰＢ信号により前記ＩＰネットワークに送出されるインバンドＤＴＭＦ信号を検出した際には、前記インバンドＤＴＭＦ信号から得られるＤＴＭＦ信号をそのままとし宛先を電話主装置アドレスに置換してアウトバンドＤＴＭＦ信号に生成し送出することを特徴とする信号制御方法。
【請求項２】
ＩＰネットワークで構成される電話システムで通信中の電話端末からＰＢ信号により送出されるインバンドＤＴＭＦ信号を制御信号として検出した際にその信号をアウトバンド信号に変換し前記ＩＰネットワークを介して電話主装置に送出する信号制御方法において、前記インバンドＤＴＭＦ信号から得られるＤＴＭＦ信号をそのままとし宛先アドレスを置換して前記アウトバンド信号をアウトバンドＤＴＭＦ信号に生成することを特徴とする信号制御方法。
【請求項３】
請求項２に記載の信号制御方法おいて、前記電話端末と前記ＩＰネットワークとの間にアダプタを設け、前記インバンドＤＴＭＦ信号は前記電話端末から前記アダプタに送出され、当該アダプタで前記アウトバンドＤＴＭＦ信号を生成することを特徴とする信号制御方法。
【請求項４】
ＩＰネットワークで構成される電話システムで、ＩＰネットワークと電話端末との間に通信中の音声信号を受けるアダプタを設けて通信中の電話端末からＰＢ信号により送出されるインバンドＤＴＭＦ信号を制御信号として検出した際にその信号をアウトバンド信号に変換して前記ＩＰネットワークに送出する信号制御方式において、前記アダプタが、前記インバンドＤＴＭＦ信号から得られるＤＴＭＦ信号をそのままとし宛先アドレスを置換して前記アウトバンド信号をアウトバンドＤＴＭＦ信号に生成し送出する手段を有することを特徴とする信号制御方式。
【請求項５】
請求項４に記載の信号制御方式において、前記アダプタは、前記電話端末から受けた通信中の音声パケットを一時保存する手段と、前記アウトバンドＤＴＭＦ信号に生成されたインバンドＤＴＭＦ信号を一時保存の前記音声パケットから削除して前記ＩＰネットワークに送出するする手段を有することを特徴とする信号制御方式。
【請求項６】
請求項４または請求項５に記載される信号制御方式において、更に、前記ＩＰネットワークに接続して前記電話端末から前記アウトバンドＤＴＭＦ信号を前記アウトバンド信号として受け、受けたアウトバンドＤＴＭＦ信号に含まれるＤＴＭＦ信号に対応して予め設定された制御を遂行する電話主装置を有することを特徴とする信号制御方式。
【発明の詳細な説明】
【技術分野】
【０００１】
本発明は、事業所内に設けられるＩＰ電話システムにおける電話機と電話主装置との間の信号制御が簡単で容易な方式に関するものである。
【背景技術】
【０００２】
最近の事業所用ＩＰ電話システムでは、通常、ＳＩＰ（Session Initiation Protocol）などの呼制御メッセージをＵＤＰ（User Datagram Protocol）にていったん受信し、送信先に合わせて変換などの処理を実行してから転送するというＢ２ＢＵＡ（Back to Back User Agent）方式が採用されている。電話機間の信号伝送にはＲＴＰ（Real-time Transport Protocol）パケットによるパケット通信が実行される。この通信は主装置を介さないＰ２Ｐ（Peer to Peer）方式を採用することによりパケット量を軽減することが可能である。Ｐ２Ｐ方式は、コンピュータが相互に接続され、直接ファイルなどの情報を送受信するインターネットの利用形態である。したがって、一般的には電話機におけるダイヤル操作により発生するＰＢ（Push Button）信号は、可聴音によるＤＴＭＦ（Dial Tone Multi Frequency）信号により音声信号線に出力されるが、ネットワークに送出される際にはＲＴＰパケットに形成される。このため、電話機は音声を含む可聴信号とＲＴＰパケットとの変換のための機能を必要とし、その可聴信号を変換したＲＴＰパケットは音声パケットと呼称される。音声パケットは、復号するとそのまま可聴信号、いわゆる音声帯域であるインバンド（ＩＢと略称することがある）の信号に変換される。すなわち、可聴信号としてのＰＢ信号はインバンドＤＴＭＦ信号によるＲＴＰパケットすなわち音声パケットに変換されてネットワーク上を転送される。
【０００３】
また、特開２００３−７８９５８号公報（特許文献１）に記載されるように、このインバンドＤＴＭＦ方式のほかに、電話機端末から交換装置に送出されるダイヤル方式として可聴周波数帯外を使用する標準化されたアウトバンド（ＯＢと略称することがある）信号方式がある。アウトバンド信号方式では、ダイヤル番号などが、符号化され、メッセージ形式により制御信号線を介して送出される。特許文献１でのアウトバンド信号方式は、無線ローカルループシステムで電話番号送出の際の呼設定時間を早めるため基地局から交換装置へ転送する信号方式として使用されている。
【０００４】
一方、例えば、ＶＰＮ（Virtual Private Network）を形成する場合、電話交換装置は発呼電話機から宛先ダイヤル番号としてインバンドＤＴＭＦ信号による音声パケットを直接受信して呼接続制御することができる。しかし、着呼先の応答により呼接続が形成された後では、その音声パケットはトランクを介して電話機間で転送され、電話交換装置を経由しない。それにもかかわらず、通常の企業内電話交換機は多種の機能を有するので、その電話交換装置は、電話機間で通話中の場合でも、電話機との間で授受する制御信号を必要とする。例えば転送要求のような制御信号がある。電話機側で、ＰＢ信号を発生するダイヤルパッドを用いてその制御信号を生成する場合、この制御信号はインバンドＤＴＭＦ信号でもよいが、上述したアウトバンド信号でもよい。アウトバンド信号の場合、電話機にその変換機能が必要である。
【０００５】
その関連技術として、例えば特開２００５−３３６６４号公報（特許文献２）に開示されている通信装置がある。図１を参照してこの装置の概要を説明する。図１では、携帯電話端末１が無線電話網２を介してＷＬＡＮ−ＡＰ（無線ＬＡＮ−アダプタ）３に接続し、ＷＬＡＮ−ＡＰ３はＬＡＮ４を介して電話交換装置である電話主装置５と接続する。
【０００６】
特許文献２では、携帯電話端末１が第３世代端末であり、無線電話網２が第３世代移動通信網、ＷＬＡＮ−ＡＰ３は第３世代ゲートウェイ、そして電話主装置５はコンテンツ配信サーバと同等である。第３世代ゲートウェイは、第３世代移動通信網とＬＡＮとの間の符号変換を行い、ＤＴＭＦ検出部を内蔵して、第３世代端末からの押しボタン操作によるＤＴＭＦ音を検出して、ＬＡＮに接続されているコンテンツ配信サーバでの制御信号を生成している。
【０００７】
すなわち、図１でのＷＬＡＮ−ＡＰ３は、無線電話網２を介して携帯電話端末１から送信されるＤＴＭＦ信号を受け、ＬＡＮ４に接続される電話主装置５での制御信号に変換生成し、ＬＡＮ４に送出している。このような構成で、特許文献２によれば、電話機から呼接続要求を受けた電話主装置はインバンドＤＴＭＦ信号を受けて接続先を識別して電話機同士を接続し、その後、電話機同士が音声パケットを直接授受することにより通話を可能にしている。したがって、この状態でのＷＬＡＮ−ＡＰは、無線電話網を介して電話機からインバンドＤＴＭＦ信号を受けた場合、そのインバンドＤＴＭＦ信号に合致させた制御信号を電話主装置における制御信号として生成できる。また、その制御信号は、無線電話網とＬＡＮとの相互間を、所定の符号化方式により変換され、またはそのプロトコル変換により生成される。
【０００８】
すなわち、この特許文献２の通信装置では、無線電話網とＬＡＮとの間の符号変換またはプロトコル変換によりＬＡＮ上の制御信号を生成することが主目的とされている。しかしながら、特許文献２では、電話主装置がネットワークを介して電話機を接続してＶＰＮを形成する際における、電話主装置と電話機との間に形成される制御信号の「信号形態」については触れていない。
【０００９】
すなわち、電話機のダイヤルパッドを用いてＰＢ信号を発生することにより電話機間で通話中の場合に発生する例えば転送要求のような制御信号を生成する場合について、その制御信号に関する具体的な情報は開示されていない。
【００１０】
【特許文献１】特開２００３−７８９５８号公報
【特許文献２】特開２００５−３３６６４号公報
【発明の開示】
【発明が解決しようとする課題】
【００１１】
電話端末が、通信中に発生したＰＢ信号を、ＩＰネットワークを介して接続される電話主装置に、インバンドＤＴＭＦにより制御信号を送る機会がある。その場合、Ｐ２Ｐ通信ではＲＴＰパケットが主装置に届けられることはないため、上述したように、ＩＰネットワークと電話端末との間に通信中の音声信号をモニタするアダプタを設け、そのアダプタがインバンドＤＴＭＦ信号をアウトバンド信号に変換して電話主装置に送出する必要がある。
【００１２】
解決しようとする課題は、通信中の電話端末で発生したＰＢ信号がＩＰネットワークを介して接続される電話主装置にアウトバンド信号により制御信号として送られる場合、その具体的な信号形態が特定されていないことである。
【課題を解決するための手段】
【００１３】
本発明は、ＩＰネットワークに接続される電話システムで、通信中の電話端末で発生したＰＢ信号がＩＰネットワークを介して接続される電話主装置にアウトバンド信号により送られる場合、その制御信号の具体的な形態を特定することを目的とする。
【００１４】
そのため、本発明は、ＩＰネットワークで構成される電話システムで通信中の電話端末からＰＢ信号により送出されるインバンドＤＴＭＦ信号を制御信号に検出した際にその信号をアウトバンド信号に変換し前記ＩＰネットワークを介して電話主装置に送出する信号制御に関する。それは、前記インバンドＤＴＭＦ信号から得られるＤＴＭＦ信号をそのままとし、宛先アドレスを置換した前記アウトバンド信号を、アウトバンドＤＴＭＦ信号と定義して生成することを主要な特徴とする。
【００１５】
具体的な構成は、ＩＰネットワークと電話端末との間に通信中の音声信号を受けるアダプタを設けており、通信中の電話端末からＰＢ信号により送出されるインバンドＤＴＭＦ信号を制御信号として検出した際にその信号をアウトバンド信号に変換して前記ＩＰネットワークに送出するものである。そして、前記アダプタは、前記インバンドＤＴＭＦ信号から得られるＤＴＭＦ信号をそのままとし宛先アドレスを置換して前記アウトバンド信号をアウトバンドＤＴＭＦ信号に生成し送出する手段を有する。
【発明の効果】
【００１６】
本発明のＩＰ電話システムにおける信号制御方式は、ＩＰネットワーク上でのアウトバンド信号として、制御信号となるＤＴＭＦに対応する信号、すなわちアウトバンドＤＴＭＦ信号と定義された信号を使用する。インバンドＤＴＭＦ信号は音声周波数による高音系四種類と低音系四種類とからそれぞれ一つずつを組み合わせて生成するＤＴＭＦを識別可能に符号化した信号である。そして、アウトバンドＤＴＭＦ信号は、インバンドＤＴＭＦ信号に対応した数値情報、または記号としてのＤＴＭＦ信号である。更に、インバンドＤＴＭＦ信号は相手先が電話端末であり、アウトバンドＤＴＭＦ信号の相手先は電話主装置である。
【００１７】
そのため、電話端末、特に携帯電話端末のように機能の簡素化による小型化が図られた場合に制御信号の発信がダイヤルパッドのみのＰＢ信号で可能である。更に、電話主装置では、ＤＴＭＦ対応の制御条件が変更されても、ＰＢ信号対応に制御信号を設定できるので、信号の識別およびその制御の変換または変更が容易である。
【発明を実施するための最良の形態】
【００１８】
本発明は、ＩＰネットワークに接続される電話システムで、通信中の電話端末が発生したＰＢ信号を、ＩＰネットワークを介して接続される電話主装置に、アウトバンド信号により送る制御信号の形態を特定するという目的のため、ＩＰネットワーク上でのアウトバンド信号として、ＤＴＭＦ対応の信号、すなわちアウトバンドＤＴＭＦ信号を使用する。それにより、機能の簡素化による小型化が図られた携帯電話端末からのＰＢダイヤルによる制御信号の送出、および電話主装置における信号の識別およびその制御の変換または変更が容易なシステムを実現した。
【００１９】
以下に、図面を参照して実施例を説明するが、図面は本発明に係る部分が主として示されており、機能上必須の構成要素でも省略されたものがある。また、本発明の趣旨と機能とを満たすものであれば、図示された機能ブロックの分割・併合、および手順の入替えなどは自由であり、下記説明が本発明を限定するものではない。
【実施例１】
【００２０】
本発明の実施例１について図１を参照して説明する。
【００２１】
図１は、本発明によるシステムの一実施例をブロックで示す説明図である。図１では、携帯電話端末１、無線電話網２、ＷＬＡＮ−ＡＰ（無線ＬＡＮアダプタ）３、ＬＡＮ４、電話主装置５、および固定電話端末６が示されている。
【００２２】
携帯電話端末１は無線電話網２を介してＷＬＡＮ−ＡＰ３に接続されている。無線電話網２は例えば移動通信網である。ＷＬＡＮ−ＡＰ３は、無線電話網２におけるＬＡＮ４に対するゲートウェイであり、一方で無線電話網２に接続され、他方でＬＡＮ４に接続する。ＬＡＮ４は、例えばイーサネット（登録商標）のようなローカルエリアネットワークである。電話主装置５は、ＬＡＮ４に接続されるサーバであり、携帯電話端末１および固定電話端末６と共に一つのＶＰＮを形成し主として企業内の電話端末間を相互接続する電話交換装置である。それは、内線電話機をＬＡＮに接続して収容する例えばボタン電話装置の主装置、または企業内交換機に代表される。
【００２３】
電話主装置５はプロキシサーバとして図示されていないインターネットを介して他の電話システムと接続してもよい。すなわち、ＩＰネットワークとしては一般的なインターネットでもよく、ＩＰネットワークを介して接続される携帯電話端末１、ＷＬＡＮ−ＡＰ３、および電話主装置５は一つの企業内交換システムであるＶＰＮを形成する。
【００２４】
固定電話端末６は、多機能電話機であり、ダイヤル番号発信のためのパッドとは別に多機能用のボタンを有し、例えば転送ボタンにより制御信号として電話主装置５宛てにＬＡＮ４を介して送出することができる。
【００２５】
上述したように、携帯電話端末１は、軽量小型化のため余分なキーまたはボタンなどを有することなく、転送などの制御信号も、ダイヤルパッドのボタンを用いてＰＢ信号で音声信号として送出している標準タイプのものである。
【００２６】
すなわち、本発明における特徴の一つは携帯電話端末１にある。携帯電話端末１は、通話中における転送要求などの電話主装置に対する制御要求を、ダイヤルパッド操作によるＰＢ信号で行うものである。したがって、携帯電話端末１は、通信中に制御要求をする際にＰＢ信号であるＤＴＭＦをユーザのボタン押し操作により発生する。その制御要求の操作は所定時間を越えることにより検出される。その結果、所定の制御信号がダイヤルパッドから発信された際に携帯電話端末１は、検出したＤＴＭＦにしたがったインバンドＤＴＭＦ信号によるＲＴＰパケットを音声パケットとして生成し、通話音声と共に一連の音声信号により無線電話網２に送出する。それにより、制御信号であっても、通話中での携帯電話端末１にインバンドＤＴＭＦ信号を制御信号用のアウトバンド信号に変換する機能を不要とする。すなわち、本発明では、標準装備の携帯電話端末１が使用可能であることが特徴である。ちなみに、インバンドＤＴＭＦ信号を制御信号用のアウトバンド信号に変換する機能は、例えば呼接続要求または呼設定メッセージの送出の際に必要であり標準装備されているが、連続する呼接続要求の手順に含まれるので、通話音声と共に一連の音声信号により無線電話網２に送出するものではなく、特別な変換機能の付加は不要である。
【００２７】
ここで、図１を参照して本発明における発呼から応答までの動作について説明する。発呼の際は、携帯電話端末１から、無線電話網２、ＷＬＡＮ−ＡＰ３、およびＬＡＮ４を介して電話主装置５まで呼接続要求のＲＴＰパケットが送られ、その結果、電話主装置５からＤＴパケットが返送されて携帯電話端末１に発信音を発生させる。それにより、携帯電話端末１では宛先電話番号がユーザによりＰＢダイヤル発信される。しかしそのインバンドＤＴＭＦは呼接続要求のための一連の制御信号に含まれ、アウトバンド信号のＲＴＰパケットにより無線電話網２、ＷＬＡＮ−ＡＰ３、およびＬＡＮ４を介して電話主装置５まで到達する。電話主装置５でアウトバンド信号からダイヤル番号を抽出して呼接続し被呼者の電話端末へ呼出し信号を送出する一方、発呼側には呼出し音をＲＴＰパケットで送出する。これらの音声信号はアウトバンド信号に含まれインバンド信号とは区別する。
【００２８】
そして、被呼者の電話端末が応答した際には、発呼者の携帯電話端末１と被呼者の例えば固定電話端末６との両電話端末間ではＬＡＮ４を介した音声信号が、インバンドＤＴＭＦ信号による音声パケットとして直接授受されており、電話主装置５を経由しない。
【００２９】
次に、図２に図１を併せ参照して本発明の主要な特徴であるＷＬＡＮ−ＡＰ３について説明する。図では、ＷＬＡＮ−ＡＰ３は、無線網ＩＦ（インタフェース）１１、パケット変換伝送部１２、ＬＡＮＩＦ１３、信号伝送制御部１４、音声パケット復号部１５、ＩＢ−ＤＴＭＦ検出部１６、およびＯＢ−ＤＴＭＦ生成部１７を示している。
【００３０】
無線網ＩＦ１１は無線電話網２を介して携帯電話端末１との間でＲＴＰパケットを授受する。すなわち、無線網ＩＦ１１は、無線電話網２から受けたＲＴＰパケットをパケット変換伝送部１２および音声パケット復号部１５へ送り、パケット変換伝送部１２から受けたＲＴＰパケットを無線電話網２へ送出する。パケット変換伝送部１２は、無線網ＩＦ１１とＬＡＮＩＦ１３との間にあり、授受するＲＴＰパケットをそれぞれのネットワークに合致するように符号変換またはプロトコル変換する。ＬＡＮＩＦ１３は、ＬＡＮ４を介して電話主装置５との間でＲＴＰパケットを授受する。すなわち、ＬＡＮＩＦ１３は、パケット変換伝送部１２およびＯＢ−ＤＴＭＦ生成部１７から受けたＲＴＰパケットをＬＡＮ４へ送り、ＬＡＮ４から受けたＲＴＰパケットをパケット変換伝送部１２へ送出する。信号伝送制御部１４はそれぞれの構成要素と接続して所定のプログラムに基づき信号の伝送を制御する。
【００３１】
音声パケット復号部１５は、無線網ＩＦ１１で受ける音声パケットを音声信号に復号してＩＢ−ＤＴＭＦ検出部１６に送る。ＩＢ−ＤＴＭＦ検出部１６は、音声パケット復号部１５から送られた音声信号から所定長を満たすＤＴＭＦをインバンドＤＴＭＦ信号として検出し所定長のＤＴＭＦ信号に形成してＯＢ−ＤＴＭＦ生成部１７へ送る。ＯＢ−ＤＴＭＦ生成部１７は、受けたインバンドＤＴＭＦ信号を予め設定された制御信号データと比較して一致した際に、ＤＴＭＦそれぞれの周波数に対応する所定のアウトバンドＤＴＭＦ信号に変換して生成してＬＡＮＩＦ１３に送る。対応するＤＴＭＦのないインバンドＤＴＭＦ信号は破棄される。
【００３２】
この際、ＷＬＡＮ−ＡＰ３は、インバンド信号を音声パケットとして音声信号で通話先電話端末に宛てて送出し、アウトバンド信号を制御信号として電話主装置５に宛てて送られる。すなわち、上述したように、ＤＴＭＦによる音声信号のＲＴＰパケットの宛先が電話端末の場合、そのＤＴＭＦはインバンドＤＴＭＦ信号であり、ＲＴＰパケットの宛先が電話主装置の場合には制御信号としてのアウトバンドＤＴＭＦ信号であると定義する。
【００３３】
このように、ＷＬＡＮ−ＡＰ３は、上記携帯電話端末１を多機能端末として使用可能とするため、通話中の音声信号をモニタし、音声パケットから所定の制御信号に変換されるインバンドＤＴＭＦ信号を検出する。そして、検出されたインバンドＤＴＭＦ信号は、その宛先を電話端末アドレスから電話主装置アドレスに変換される。このアウトバンドＤＴＭＦ信号の形態が本発明の特徴である。この制御信号は、電話主装置５のアドレスを宛先とするアウトバンド信号によるＲＴＰパケットによりデジタル回線で多重化伝送される。したがって、通話中の携帯電話端末１から送出されたインバンドＤＴＭＦ信号による制御信号は、ＷＬＡＮ−ＡＰ３でアウトバンドＤＴＭＦ信号に変換され、ＬＡＮ４を介して電話主装置５により取り出される。ＷＬＡＮ−ＡＰ３における主要動作手順の詳細は次にフローチャートを参照して説明する。
【００３４】
図３は、図１および図２を併せ参照して本発明におけるＷＬＡＮ−ＡＰ３を中心とする通話中の電話端末間で音声パケットを直接授受している状態における主要動作手順をフローチャートで示す説明図である。
【００３５】
ＷＬＡＮ−ＡＰ３は、携帯電話端末１による通信中に無線電話網２から受信する音声パケットを無線網ＩＦ１１で受付け、パケット変換伝送部１２からＬＡＮＩＦ１３を介してＬＡＮ４に転送（手順Ｓ１）する。音声パケットはその宛先が通信先の例えば固定電話端末６である。ＷＬＡＮ−ＡＰ３では、複数の携帯電話端末に対して多重化されたＲＴＰパケットが転送されているので、音声パケット復号部１５が無線網ＩＦ１１で受付けたＲＴＰパケットから音声パケットを検出して復号（手順Ｓ２）する。通話音声は音声周波数の複雑な組合せであるが、ＰＢダイヤルによる制御信号はユーザのボタン押し操作により短時間ながら安定した二つの周波数の組合せである。したがって、ＩＢ−ＤＴＭＦ検出部１６が所定長を越えたＤＴＭＦを検出することによりインバンドＤＴＭＦ信号あり（手順Ｓ３のＹＥＳ）を判断できる。検出されたインバンドＤＴＭＦ信号は、ＯＢ−ＤＴＭＦ生成部１７によりアウトバンドＤＴＭＦ信号に変換されて制御信号に生成（手順Ｓ４）された後、ＬＡＮＩＦ１３を介してＬＡＮ４へ電話主装置５に宛てて送出（手順Ｓ５）される。
【００３６】
上記手順Ｓ３が「ＮＯ」でインバンドＤＴＭＦ信号でない場合、その検出された音声パケットは破棄され、手順は上記手順Ｓ１に戻る。
【００３７】
次に、図４に図１を併せ参照して本発明の特徴の一つとなる電話主装置５について説明する。図の電話主装置５では、ＬＡＮＩＦ２１、ＲＴＰパケット生成部２２、ＲＴＰパケット検出部２３、ＯＢ−ＤＴＭＦ検出部２４、ＤＴＭＦ変換部２５、ＤＴＭＦ対応制御部２６、および呼制御部２７が示されている。
【００３８】
ＬＡＮＩＦ２１は、ＬＡＮ４とのインタフェースを有しＲＴＰパケットの授受を行う。ＲＴＰパケット生成部２２は、呼制御部２７の制御を受け、ＬＡＮ４に送出するＲＴＰパケットを生成してＬＡＮＩＦ２１へ送る。呼接続段階でのＲＴＰパケットには、音声、ＤＴＭＦなど可聴周波数による音声パケットが含まれる。例えば、発呼者を宛先とする音声パケットとして、ＤＴ（ダイヤル音）パケットまたはＲＢＴ（呼出し音）パケットをＲＴＰパケットに生成してＬＡＮＩＦ２１へ送出する。ＲＴＰパケット検出部２３は、ＬＡＮ４からＬＡＮＩＦ２１で受けたＲＴＰパケットを検出して制御信号を取り出し、発着呼接続制御のため呼制御部２７に通知する。
【００３９】
ＯＢ−ＤＴＭＦ検出部２４は、ＬＡＮ４からＬＡＮＩＦ２１で受けたＲＴＰパケットからアウトバンドＤＴＭＦ信号を検出して制御信号としてＤＴＭＦ変換部２５へ送る。ＤＴＭＦ変換部２５は、受けたアウトバンドＤＴＭＦ信号をＤＴＭＦ信号に変換してＤＴＭＦ対応制御部２６へ送る。アウトバンドＤＴＭＦ信号とインバンドＤＴＭＦ信号とは含まれるＤＴＭＦが同一でありアドレス以外の特別な変換は不要である。ＤＴＭＦ対応制御部２６は、受けたＤＴＭＦを予め定められたＤＴＭＦと照合し、例えばダイヤル番号以外で設定された制御信号を判定してその制御信号に付与された接続制御を実行する。ＤＴＭＦ対応制御部２６は、接続制御に必要があれば呼制御部２７にその制御を依頼する。呼制御部２７は、電話主装置５での呼接続関連構成要素と接続し、その主要動作を制御する。制御信号そのものはダイヤル番号以外の特殊番号が適切である。ちなみに、ＤＴＭＦには例えば転送に付随する転送先番号がダイヤル番号で受信されるが、転送要求の制御信号に含まれており単独のＤＴＭＦ信号ではない。
【００４０】
このような構成を採用することにより、通話中にダイヤルパッドからＰＢ信号を発信した際、ＬＡＮアダプタでアウトバンドＤＴＭＦ信号に変換して電話主装置に送出できる。従って、第１に、携帯電話端末でもＤＴＭＦによる制御信号をアウトバンド信号に変換する必要がないので、インバンドＤＴＭＦの発信機能のみを有する標準電話機が採用可能である。また、第２に、周知のインバンドＤＴＭＦ信号で宛先アドレスを変更してアウトバンドＤＴＭＦ信号の形態とすることにより、電話主装置での制御信号の生成が簡単容易であるという効果を有する。また、通話中にダイヤルパッドから送られるＰＢ信号は全て相手側電話端末にインバンドＤＴＭＦ信号で届くので、電話による自動受付けなどの機能サービスを受けることが可能である。
【実施例２】
【００４１】
本発明の実施例２について図５を参照して説明する。
【００４２】
図５の実施例は、図１のＷＬＡＮ−ＡＰ３にＷＬＡＮ−ＡＰ３Ａを配備している。ＷＬＡＮ−ＡＰ３Ａには、無線網ＩＦ１１Ａ、パケット変換伝送部１２Ａ、ＬＡＮＩＦ１３Ａ、信号伝送制御部１４Ａ、ＲＴＰパケット保存部３１、送出パケット生成部３２、音声パケット復号部３３、ＩＢ−ＤＴＭＦ検出部３４、およびＯＢ−ＤＴＭＦ生成部３５が示される。
【００４３】
無線網ＩＦ１１Ａ、パケット変換伝送部１２Ａ、ＬＡＮＩＦ１３Ａ、および信号伝送制御部１４Ａは、図２での同一名称の構成要素とほぼ同一機能を有するが、パケット変換伝送部１２ＡはＬＡＮＩＦ１３Ａから無線網ＩＦ１１ＡへのＲＴＰパケットの変換および伝送を行う。無線網ＩＦ１１ＡからＬＡＮＩＦ１３ＡへのＲＴＰパケットの変換および伝送はＲＴＰパケット保存部３１および送出パケット生成部３２で実行される。音声パケット復号部３３、ＩＢ−ＤＴＭＦ検出部３４、およびＯＢ−ＤＴＭＦ生成部３５も図２での同一名称の構成要素とほぼ同一機能を有する。
【００４４】
ＲＴＰパケット保存部３１は、無線網ＩＦ１１Ａで受信するＲＴＰパケットを一時保存する。送出パケット生成部３２は、ＲＴＰパケット保存部３１に保存のパケットを取り出し、それからＯＢ−ＤＴＭＦ生成部３５で変換生成の対象となったインバンドＤＴＭＦ信号を削除して送出するＲＴＰパケットを生成しそのＲＴＰパケットをＬＡＮＩＦ１３ＡからＬＡＮ４へ送出する。音声パケット復号部３３は、ＲＴＰパケット保存部３１から音声パケットを取出して復号し、ＩＢ−ＤＴＭＦ検出部３４へ送る。ＩＢ−ＤＴＭＦ検出部３４は、送られた音声パケットからインバンドＤＴＭＦ信号を検出し、ＯＢ−ＤＴＭＦ生成部３５へ送る。ＯＢ−ＤＴＭＦ生成部３５は、受けたインバンドＤＴＭＦ信号を予め設定された制御信号データと比較して一致した際に、そのＤＴＭＦに対するアウトバンドＤＴＭＦ信号を生成してＬＡＮＩＦ１３ＡからＬＡＮ４へ送出する。一方、ＯＢ−ＤＴＭＦ生成部３５は、アウトバンドＤＴＭＦ信号に変換生成されたインバンドＤＴＭＦ信号を送出パケット生成部３２に通知する。
【００４５】
このような構成のため、この実施例ではＰＢ信号を発信しても制御信号に変換されるＤＴＭＦは相手側に達しないので、余計な可聴信号により通話を疎外されることがない。他方では、発信されたＰＢ信号が所定の制御信号以外の場合、相手側にインターネットを介してＰＢ信号による情報を送ることができるので、例えば、電話機からの自動申し込みなどの機能サービスを受けることが可能である。
【産業上の利用可能性】
【００４６】
電話端末が発信するＰＢ信号をインバンドＤＴＭＦ信号から少なくともアドレス変換のみでアウトバンドＤＴＭＦ信号に、アダプタを用いて容易に変換することができる。それゆえ、本発明は、標準タイプの電話端末を用いて、ネットワークを介して接続する電話主装置に所定の制御信号を送ることにより、従来の設備の大幅な拡張なしで多機能サービスを提供することが必要かつ不可欠な用途に適用できる。
【図面の簡単な説明】
【００４７】
【図１】関連するＩＰ電話システムをブロックにより示した説明図である。
【図２】図１におけるＷＬＡＮ−ＡＰの一形態をブロックにより示した説明図である。（実施例１）
【図３】図２におけるＷＬＡＮ−ＡＰの主要動作手順の一形態をフローチャートにより示した説明図である。（実施例１）
【図４】図１における電話主装置の一形態をブロックにより示した説明図である。（実施例１）
【図５】図１におけるＷＬＡＮ−ＡＰの図２と異なる一形態をブロックにより示した説明図である。（実施例２）
【符号の説明】
【００４８】
１    携帯電話端末
２    無線電話網
３、３Ａ    ＷＬＡＮ−ＡＰ
４    ＬＡＮ
５    電話主装置
６    固定電話端末
１１、１１Ａ    無線網ＩＦ
１２、１２Ａ    パケット変換伝送部
１３、１３Ａ、２１    ＬＡＮＩＦ
１４、１４Ａ    信号伝送制御部
１５、３３    音声パケット復号部
１６、３４    ＩＢ−ＤＴＭＦ検出部
１７、３５    ＯＢ−ＤＴＭＦ生成部
２２    ＲＴＰパケット生成部
２３    ＲＴＰパケット検出部
２４    ＯＢ−ＤＴＭＦ検出部
２５    ＤＴＭＦ変換部
２６    ＤＴＭＦ対応制御部
２７    呼制御部
３１    ＲＴＰパケット保存部
３２    送出パケット生成部
【図１】
0004687917.tif 000002
【図２】
0004687917.tif 000003
【図３】
0004687917.tif 000004
【図４】
0004687917.tif 000005
【図５】
0004687917.tif 000006